(57)【要約】【課題】  特別の駆動源を用いずとも、読取器のシャッタの開閉を高速に行なうことができる、実用性に富んだ画像形成装置の提供。【解決手段】  読取窓（１７ａ）に対して開閉するシャッタ（２８）を備えた読取器（１７）がキャリッジ（１）に搭載されている。キャリッジ（１）が、ホームポジション近傍にあるときに、間隔方向に移動させると、シャッタ（２８）の一部が楔形状の当接部材（２６）の斜面に当接して、この当接によってシャッタ（２８）が開閉が切り替わる。【選択図】  図１
2010062910.tif 000002
【特許請求の範囲】
【請求項１】
メディアに画像を形成する画像形成装置であって、
搭載する記録ヘッドを、メディアに対して主走査方向および間隔方向に移動させるキャリッジと、
前記キャリッジに搭載され、且つ、読取窓と、該読取窓に対して開閉するシャッタを備え、前記読取窓を通して前記メディアから情報を読み取る読取器と、
前記キャリッジが、前記主走査方向の所定位置において、前記間隔方向に移動する際に、前記キャリッジと共に移動する前記シャッタの一部が当接する位置に、前記キャリッジとは独立して設けた当接部材と、を有し、
前記当接によって前記シャッタの開閉が切り替わるようにしたことを特徴とする画像形成装置。
【請求項２】
前記当接部材は、前記間隔方向に対する斜面を有しており、前記シャッタの一部が前記斜面に当接して、前記間隔方向の移動につれて前記斜面に沿って前記シャッタが閉から開に切り替わるように構成したことを特徴とする、請求項１記載の画像形成装置。
【請求項３】
メディアに画像を形成する画像形成装置であって、
搭載する記録ヘッドを、メディアに対して主走査方向および間隔方向に移動させるキャリッジと、
前記キャリッジに搭載され、且つ、読取窓と、該読取窓に対して開閉するシャッタを備え、前記読取窓を通して前記メディアから情報を読み取る読取器と、
前記キャリッジが前記主走査方向に移動する際に、前記キャリッジと共に移動する前記シャッタの一部が当接し得る位置に、前記キャリッジとは独立して設けた当接部材と、を有し、
前記当接部材は、前記読取器と前記メディアとの間隔に応じて、前記シャッタの一部と前記当接部材とが当接する場合と当接しない場合があるような位置に設けられており、当接した場合に、前記シャッタの開閉が切り替わるようにしたことを特徴とする画像形成装置。
【請求項４】
前記当接部材は、弾性体と該弾性体に支持された当接片を有しており、前記シャッタの一部が、前記弾性体を変形させながら前記当接片に当接して、前記シャッタの閉開が切り替わるように構成したことを特徴とする、請求項３記載の画像形成装置。
【請求項５】
前記キャリッジは前記主走査方向に往復移動するものであり、前記往復移動のいずれの方向においても、前記シャッタの一部が、前記弾性体を変形させながら前記当接部に当接して、前記シャッタの開閉が切り替わるように構成したことを特徴とする、請求項４記載の画像形成装置。
【請求項６】
メディアに画像を形成する画像形成装置であって、
搭載する記録ヘッドを、メディアに対して主走査方向および間隔方向に移動させるキャリッジと、
前記キャリッジに搭載され、且つ、読取窓と、該読取窓に対して開閉するシャッタを備え、前記読取窓を通して前記メディアから情報を読み取る読取器と、
前記キャリッジが前記主走査方向に往復移動する際に、前記キャリッジと共に移動する前記シャッタの一部が当接する位置に、前記キャリッジとは独立して設けた当接部材と、を有し、
前記当接部材は、弾性体と該弾性体に支持された当接片を備え、前記往復移動のいずれの方向においても、前記シャッタの一部が、前記弾性体を変形させながら前記当接片に当接して、前記シャッタの閉開が切り替わるように構成したことを特徴とする画像形成装置。
【請求項７】
前記当接部材は、前記主走査方向において、前記メディアの画像形成領域より外側の前記キャリッジのホームポジション側の所定位置に設けられていることを特徴とする、請求項１乃至６のいずれか記載の画像形成装置。
【請求項８】
前記キャリッジが、前記主走査方向に移動して端部に達した際に、前記キャリッジとは独立して設けた、前記当接部材とは別の当接部材に、前記シャッタの一部が当接して、前記シャッタが開から閉に切り替わるように構成したことを特徴とする、請求項１乃至６のいずれか記載の画像形成装置。
【請求項９】
前記読取器は、発光部と受光部を有し、前記発光部からの光を前記読取窓を通して前記メディアに照射して、前記メディアからの反射光を前記読取窓を通して前記受光部で受光するものであることを特徴とする、請求項１乃至８のいずれか記載の画像形成装置。
【請求項１０】
前記読み取ったメディアに関する情報に基いて、画像形成の条件を設定する手段を有することを特徴とする、請求項１乃至９のいずれか記載の画像形成装置。
【請求項１１】
前記記録ヘッドは、インクジェット方式で記録を行なうものである、請求項１乃至１０のいずれか記載の画像形成装置。
【発明の詳細な説明】
【技術分野】
【０００１】
本発明は、メディアに画像形成を行なうプリンタ等の画像形成装置に関する。
【背景技術】
【０００２】
従来より、プリントに用いるメディアの情報、例えばメディアサイズや位置合わせ情報、カラーパッチなどの情報を、メディアから読み取って、プリンタを自動的に設定する試みがなされている。
【０００３】
例えば、特許文献は、記録ヘッドを移動させるキャリッジに光学的な読取器を取り付けて、メディアから情報の読み取りを行って、プリント条件を自動設定することができる装置を開示している。（特許文献１参照）
この装置では、読取器に開閉可能なシャッタを設けて、非使用時にはシャッタを閉じて汚れが付くことを軽減する。シャッタの開閉には、キャリッジの移動を利用している。プリント領域の外側の両端部にそれぞれ当接片を設けて、キャリッジが一方の端部まで移動すると、シャッタの開閉機構が当接片に当接して、シャッタが閉から開へ切り替わり、他方の端部まで移動すると、同様に開から閉に切り替わるようになっている。
【特許文献１】特開２００１−３２８２６６号公報
【発明の開示】
【発明が解決しようとする課題】
【０００４】
しかし、特許文献１に記載された装置では、キャリッジが待機位置にあるとき、シャッタを開にするためには、待機位置とは反対側の端部まで、大きなストロークをそれも往復でキャリッジを移動させなければならない。往復移動に要する時間は単なる待ち時間であり、シャッタの開閉のためだけにこれだけの時間をかけるのは非効率である。大判のプリンタでは、シートの最大記録幅が６０インチというものもあり、プリンタが大型化するほどに、開閉のためのキャリッジ往復時間は大きなものとなり、プリンタの実用性を損なう。
【０００５】
本発明は上述の課題の認識に鑑みてなされたものである。
本発明の目的は、特別の駆動源を用いずとも、読取器のシャッタの開閉を高速に行なうことができる、実用性に富んだ画像形成装置を提供することである。
【課題を解決するための手段】
【０００６】
上記課題を解決する本発明は、メディアに画像を形成する画像形成装置であって、搭載する記録ヘッドを、メディアに対して主走査方向および間隔方向に移動させるキャリッジと、前記キャリッジに搭載され、且つ、読取窓と、該読取窓に対して開閉するシャッタを備え、前記読取窓を通して前記メディアから情報を読み取る読取器と、前記キャリッジが、前記主走査方向の所定位置において、前記間隔方向に移動する際に、前記キャリッジと共に移動する前記シャッタの一部が当接する位置に、前記キャリッジとは独立して設けた当接部材と、を有し、前記当接によって前記シャッタの開閉が切り替わるようにしたことを特徴とするものである。
【０００７】
本発明の別の形態は、メディアに画像を形成する画像形成装置であって、搭載する記録ヘッドを、メディアに対して主走査方向および間隔方向に移動させるキャリッジと、前記キャリッジに搭載され、且つ、読取窓と、該読取窓に対して開閉するシャッタを備え、前記読取窓を通して前記メディアから情報を読み取る読取器と、前記キャリッジが前記主走査方向に移動する際に、前記キャリッジと共に移動する前記シャッタの一部が当接し得る位置に、前記キャリッジとは独立して設けた当接部材とを有し、前記当接部材は、前記読取器と前記メディアとの間隔に応じて、前記シャッタの一部と前記当接部材とが当接する場合と当接しない場合があるような位置に設けられており、当接した場合に、前記シャッタの開閉が切り替わるようにしたことを特徴とするものである。
【０００８】
本発明の別の形態は、メディアに画像を形成する画像形成装置であって、搭載する記録ヘッドを、メディアに対して主走査方向および間隔方向に移動させるキャリッジと、前記キャリッジに搭載され、且つ、読取窓と、該読取窓に対して開閉するシャッタを備え、前記読取窓を通して前記メディアから情報を読み取る読取器と、前記キャリッジが前記主走査方向に往復移動する際に、前記キャリッジと共に移動する前記シャッタの一部が当接する位置に、前記キャリッジとは独立して設けた当接部材を有し、前記当接部材は、弾性体と該弾性体に支持された当接片を備え、前記往復移動のいずれの方向においても、前記シャッタの一部が、前記弾性体を変形させながら前記当接片に当接して、前記シャッタの閉開が切り替わるように構成したことを特徴とするものである。
【発明の効果】
【０００９】
本発明によれば、特別の駆動源を用いずとも、読取器のシャッタの開閉を高速に行なうことができる、実用性に富んだ画像形成装置を提供することができる。
【発明を実施するための最良の形態】
【００１０】
以下に図面を参照して、この発明の好適な実施の形態を例示する。ただしこの実施の形態に記載されている構成要素はあくまで例示であり、この発明の範囲をそれらのみに限定する主旨のものではない。
【００１１】
以下、画像形成装置の一例であるインクジェットプリンタを説明する。インクジェット方式は、発熱体を用いた方式、ピエゾ素子を用いた方式、静電素子を用いた方式、ＭＥＭＳ素子を用いた方式など、さまざまなインクジェット方式を用いることができる。
【００１２】
なお、本発明の適用範囲はインクジェット方式に限らない。例えば、電子写真方式、サーマル方式、ドットインパクト方式などの様々な方式のプリンタ、複写機、ファクシミリ、複合機などのオフィスユースやホームユースの機器や、商業用や工業用のプリント装置等の各種画像形成装置にも適用可能である。
【００１３】
図１は、キャリッジを中心とするプリンタの主要構成を示す図である。往復走査するプリントヘッドが右端部のホームポジションに位置した状態を示す。プリント時の記録ヘッドの主走査方向（往復走査の方向）をＸ軸とする。それと直交する、対向する記録ヘッドとプラテン上のメディアとの間隔方向（対向方向）をＺ軸とする。図２は、キャリッジ１の構成を示す図である。両図を用いて説明する。本発明においては、上記Ｘ軸方向を「主走査方向」、上記Ｚ軸方向を「間隔方向」という。
【００１４】
図１では、キャリッジ１がホームポジションに位置する状態を示す。プリンタ本体の基礎フレームの一部であって位置基準となる右側板１０に、キャリッジ１の端部が突当って静止している。ホームポジションにおいて、記録ヘッド２のキャッピングやワイピングなどの回復動作、および間隔方向における記録ヘッド２のヘッドポジションを調整する動作等を行なう。記録ヘッド２にはチューブ５を介して、インクタンク２２からインクが供給される。インクタンク２２は複数色のインクをそれぞれ供給するインクカートリッジ２１を保持する。また、記録ヘッドのインク吐出面２ａは、キャップ１８で覆ってインクの乾燥を防いでいる。キャップ１８内部のインクやエアーを吸引するため、チューブ１９とポンプ２０が接続されている。
【００１５】
図２において、記録ヘッド２とプラテン４３上のメディアＭとが対向している。キャリッジ１は、記録ヘッド２を保持するヘッドホルダ３と、ヘッドホルダ３を保持するトランスレータ４から構成されている。トランスレータ４は、プリンタ本体のガイドに沿って主走査方向に往復移動する。ヘッドホルダ３は、メディアＭに対する記録ヘッド２のヘッドポジション調整のために、トランスレータ４に対して間隔方向（図の上下方向）に上下移動することができる。この上下移動を実現するための機構として、トランスレータ４に両サイドを支持される軸７と、その軸７に勘合する偏芯カム８を有し、軸７が回転すると偏芯カム８が回転する。ヘッドホルダ３の突起部が、偏芯カム８の上側に載っており、偏芯カム８のカム面高さの変化に従って、ヘッドホルダ３が上下移動する。軸７を回転させる駆動力をプリンタ本体側から伝えるために、軸７の一方の端部には、カップリング９が取り付いている。
【００１６】
図１および図２において、カップリング１１は本体側のカップリングであり、カップリング９と係合して結合する。カップリング１１はバネ１２によってＸ方向に付勢され、キャリッジ１の端部が右側板１０と突当った時に、カップリング９とカップリング１１とが確実に結合するようにしている。カップリング１１とバネ１２は、カップリングギア１３にハウジングされ、アイドラギア１４を介してモータギア１５と連結し、モータギア１５はモータ１６の回転軸に接続されている。モータ１６を回転させると、ギアを介してカップリング１１が回転し、これに結合するカップリング９および軸７が回転して、ヘッドホルダ３が上下移動することになる。なお、キャリッジ１がホームポジションから離れると、カップリング９とカップリング１１の結合が切れるので、上記のような動作にはならない。
【００１７】
ヘッドホルダ３の左側には、メディアＭから情報を読み取る読取器１７が搭載され一体化されており、ヘッドホルダ３と共に上下動する。読取器１７は、発光部と受光部を内蔵する光学式のメディアセンサである。対向するメディアに読取窓１７ａを通して光を照射して、その反射光を読取窓１７ａを通して検出して情報を読み取る。読取器１７にはその先端に光学的な読取窓１７ａが形成され、この読取窓１７ａに対して開閉可能なシャッタ２７が設けられている。詳細については後述する。
【００１８】
ここで、間隔方向（Ｚ方向）における記録ヘッド２のヘッドポジションについて説明する。図３は、記録ヘッド２のヘッドポジションを示す図である。ヘッドポジションは３つある。図３（ａ）に示す最も距離が長いポジション（以下、Ｈポジションと呼ぶ）、図３（ｂ）に示す２番目に長いポジション（以下、Ｍポジションと呼ぶ）、図３（ｃ）に示す３番目に長いポジション、つまり最も短いポジション（以下、Ｌポジション）の３つである。
【００１９】
通常のメディアを使用したプリントでは、Ｍポジションを設定する。また、超厚紙や板状のメディア、あるいはインク吸収によってメディア全体が波打ってしまう所謂コックリングが起き易いメディアを用いる際には、Ｈポジションを設定する。また、後述するように、読取器１７を用いてメディアの情報を読み取る際にも、Ｈポジションを設定する。また、フィルムのように極薄厚ではあるがコックリングが起きにくいメディアを使用する場合は、Ｌポジションを設定する。使用するメディアに応じて、いずれかのヘッドポジションが設定される。これは、プリンタに接続されたＰＣ側のドライバソフトで設定したメディアの種類に応じて、自動的に設定する。
【００２０】
読取器１７を用いた読み取りの際にＨポジションを設定する理由は、安全マージンを高めるためである。もし、ＰＣのドライバソフトで設定したメディアよりも厚みのあるメディアを実際にプリンタに装着してしまった場合、Ｈポジション以外では、記録ヘッド２の吐出面２ａあるいは読取器１７先端のシャッタ２７が、メディアの表面と接触して擦ってしまう可能性がある。Ｈポジションであれば、それを未然に防止することができる。
【００２１】
図５は、プリンタの全体構成を示す概略図である。コントローラ（制御手段）２５は、プリンタ全体の様々な制御を司るものである。メディアＭとして、ロールシート２３とカットシート２９の２タイプに対応する。使用するいずれかのメディアをフィードして、搬送ローラ２４で搬送し、メディアＭの先端がキャリッジ１とプラテン４３の間に到達したところで停止する。そして、読取器を用いてメディアの情報の読み取りを行なう。
【００２２】
ここでは、メディアの端部（エッジ）の位置を読み取って、メディアＭの幅方向のサイズおよび斜行（メディアの搬送方向の方向ずれ）を判定するものとする。読取器によって、メディアの先端、右端、左端を位置検出する。端部の検出は、メディアＭとプラテン４３とでは表面反射率が違うので、読取器での出力値に相違が生じることを利用して行なう。左右の端部の位置からメディアの幅方向のサイズを判定する。そして判定したメディアサイズと、ユーザーによって設定されたサイズとが一致しているかの比較する。さらに、メディアが斜めになって搬送されていないかを判定する。サイズが一致していなかったり斜行が判定されたら、ユーザーに促す警告メッセージを出す。
【００２３】
なお、以上は一例であり、メディアの他の情報を読み取って画像形成の条件を設定することもできる。例えば、メディアの表面状態（反射率や表面形状）や、メディア上に形成された識別マークを読み取って、メディアの種類を判別し、プリント条件を設定するようにしてもよい。またメディア上に予め形成したカラーパッチを読み取って、装置のカラーキャリブレーションを行なうようにしてもよい。
【００２４】
読取器１７で読み取りを行なうには、閉じているシャッタ２７を開ける必要がある。その手順は次のとおりである。図１（ａ）はシャッタ２７が閉じた初期状態、図１（ｂ）はシャッタ２７が開いた状態を示す。
【００２５】
図１（ａ）の初期状態から、キャップ１８が下方へ移動して、インク吐出面２ａを露出させる。続いて、モータ１６の駆動でヘッドホルダ３を下方に移動させる。ヘッドホルダ３がＬポジションよりもさらに低い位置に移動すると、読取器１７のシャッタ２７と当接部材２６の当接面が当接する。当接部材２６は、キャリッジ１とは独立してプリンタ本体側に固定して設けた、楔形状の部材であり、当接面は間隔方向に対して斜面になっている。
【００２６】
主走査方向における当接部材２６の位置は、キャリッジ１がホームポジションに位置するときに、読取器１７のシャッタ２７のほぼ真下であるが、これには限定されない。主走査方向において、メディアへの画像形成領域より外側で、ホームポジション側の所定位置に設けるようにしてもよい。
【００２７】
当接部材２６の当接面に、シャッタ２７の一部（右端部）が当接すると、当接面は斜面であるために、シャッタ２７にはＸ方向に移動する力が作用する。ヘッドホルダ３が下方に移動していくにつれて、当接面に沿ってシャッタ２７はさらにＸ方向に移動していく。そして、最後には、シャッタ２７に形成された開口２７が読取器１７の光軸２８の位置まで移動して、光軸２８が遮られない状態となる。これがシャッタ２７が読取窓１７ａに対して開になった状態である。図１（ｂ）はこの状態を示す。
【００２８】
なお、シャッタ２７の一部に直接的に当接部材が当接して開閉を行なう形態に限らず、別の部材を介して間接的に当接するようにしてもよい。例えば、シャッタ２７と実質的に一体化された部材や、シャッタ２７に接触する部材に当接部材が当接して、この間接的な部材を介して、当接部材からシャッタに対して開閉の力を作用させるようにしてもよい。本発明では、この間接的な部材も含めて、「シャッタの一部」と称するものとする。
【００２９】
上記のとおりシャッタ２７が開状態になったところから、さらにモータ１６を回転させると、今度はヘッドホルダ３は上方に移動する。これは、ヘッドホルダ３の突起が、偏芯カム８の上側に載っているからである。そして、ヘッドホルダ３が、Ｈポジションの高さまで移動したところで、モータ１６を停止する。
【００３０】
このＨポジションを維持して、今度はキャリッジ１がＸ方向に移動する。そして、シャッタ２７が開いた状態の読取器１７で、メディアの端部（エッジ）の位置を読み取る。これは、キャリッジ１を主走査方向に移動させながら、さらにはメディアを逆方向や正方向に搬送させながら、読取器１７で、メディアのメディアの先端、右端、左端を読み取る。そして、コントローラにてメディアサイズの判定や斜行の判定を行なう。
【００３１】
このメディアの情報の読み取りの動作の後、シャッタ２７を閉じる場合と閉じない場合がある。通常のプリントを行なう場合にはシャッタ２７を閉じる。特に、読取器１７の発光部や受光部にインクミストが付着しやすい状況、例えば、プリントデューティが高い場合（プリントデューティはＰＣから送られるデータより判断される）には、シャッタ２７を閉じることが、汚れ付着防止に大きな効果を奏する。一方、例えば、斜行の起き易いメディアを用いて場合のように、頻繁に読取器１７を用いての斜行判定が必要な場合には、シャッタ２７は閉じずに開けたままにしておく。
【００３２】
シャッタ２７を閉じるには、キャリッジ１を、ホームポジションと反対側の端部に位置する、プリンタ本体の左側板４５に向かって移動させる。そして、キャリッジ１の端部が左側板４５に突当ると同時に、読取器１７のシャッタ２７の端部も左側板４５に当接して、シャッタ２７はその開口２７ａが、光軸２８を遮蔽する方向に移動して、読取窓１７ａに対してシャッタ２７が閉となる。図４はこのときの状態を示す図である。その後、キャリッジ１はホームポジションに戻される。
【００３３】
以上の説明したとおり、本実施の形態の装置によれば、キャリッジのヘッドポジション調整の駆動機構を利用して、読取器のシャッタの開閉を高速に行なうことができる。初期状態からシャッタを開けるには、キャリッジを主走査方向に大きなストロークを移動させる動作が必要ないため、プリンタのトータルスループットが大きく向上し、実用性に富んだ装置を実現できる。
【００３４】
＜実施形態２＞
別の実施形態について説明する。上記の例と基本的な構成や動作は類似しているので、異なる部分を中心に説明する。
【００３５】
図６はプリンタの主要構成を示し、先の例と異なるのは、当接部材３７の形状と位置である。図７（ａ）は、図６（ａ）のキャリッジ１を側面から見たもの、図７（ｂ）は、図６（ｂ）の状態を側面から見たものである。
【００３６】
図６（ａ）、図７（ａ）の初期状態（Ｍポジション）から、読取器１７での読み取りのために、ヘッドホルダ３をＨポジションに移動させる。その状態が図６（ｂ）、図７（ａ）である。このＨポジションにおいてのみ、読取器１７のシャッタ２７は、当接部材３７と、間隔方向における高さ方向で一致して、他のポジションにおいては一致しない。なお、説明を分かりやすくするため、両図において、当接部材３７は模式的に描いており、詳細な構造は後述する。
【００３７】
次に、メディアＭの読み取りを行なうために、Ｈポジションを維持したまま、キャリッジ１をＸ方向に移動させる（往路）。すると、読取器１７のシャッタ２７と当接部材３７とが当接する。当接部材３７は、キャリッジ１とは独立してプリンタ本体側に固定して設けた部材であり。その構造は後述する。当接によってシャッタ２７が移動し、読取窓に対してシャッタ２７が閉から開に切り替わる。シャッタ２７の開閉が切り替わって、キャリッジが１さらに進んだ状態を、図６（ｃ）に示す。
【００３８】
当接部材３７は、ヘッドポジション（読取器１７とメディアＭとの間隔）に応じて、シャッタの２７一部と当接部材３７とが当接する場合（Ｈポジション）と、当接しない場合（Ｍポジション、Ｌポジション）があるような位置に設けられている。当接した場合だけシャッタ２７の開閉が切り替わる。したがって、シャッタ２７を開けたい場合はＨポジションでキャリッジを主走査方向に移動させ、シャッタ２７を開けたくない場合はＭポジション又はＬポジションでキャリッジを主走査方向に移動させればよい。
【００３９】
主走査方向における当接部材３７の位置は、キャリッジ１がホームポジションに位置するときに、読取器１７のシャッタ２７のから僅かに左方向の位置としたが、これには限定されない。主走査方向において、メディアへの画像形成領域より外側で、ホームポジション側の所定位置に設けるようにしてもよい。
【００４０】
図８は、当接部材３７を上方（Ｚ方向）から見た図を示す。当接部材３７は、弾性体４１と、その先端には支持された当接片４２からなる。弾性体４１を用いることで、当接片４２はＸ方向、−Ｘ方向のどちら側にも傾くことができる。弾性体４１は弾性を持って撓む性質を有するもので、コイルバネ、板バネ、モールドバネ、ゴム板、ゴム棒などを用いる。
【００４１】
図８（ａ）は、読取器１７のシャッタ２７が、当接部材３７の当接片４２に接触する直前を示す。読取窓１７ａを通る光軸２８は、シャッタ２７によって遮光された状態にある。ここで、当接片４２にシャッタ２７の一部（左端部）が当接して開き、その際に弾性体４１が撓んで、シャッタ２７をやり過ごす。その状態を図８（ｂ）の実線で示す。読取窓１７ａを通る光軸２８は、シャッタ２７の開口２７ａによって透過の状態に変化し、センサ読み取り可能な状態になる。
【００４２】
また、シャッタ２７は、キャリッジ１がホームポジションに戻る（復路）際にも、当接部材３７と逆側から当接して、開から閉に切り替わる。この際にも弾性体４１が反対側に撓んで、シャッタ２７をやり過ごす。その状態を図８（ｂ）の破線で示す。また、先の図４での説明と同様に、ホームポジションと反対側の端部までキャリッジ１を移動させて、左側板にシャッタ２７の端部を当接さえて、シャッタ２７を閉じることもできる。当接することで行なう。このように、往復移動のいずれの方向においても、シャッタ２７の一部が、弾性体４１を変形させながら当接片４２に当接して、前記シャッタの閉開が切り替わるように構成している。また、往路、復路ともヘッドポジションを調整することで、当接の有り無しをコントロールすることができるので、シャッタの開閉を自在に行なうことができる。
【００４３】
なお、先の例と同様、シャッタ２７の一部に直接的に当接部材が当接して開閉を行なう形態に限らず、別の部材を介して間接的に当接するようにしてもよい。例えば、シャッタ２７と実質的に一体化された部材や、シャッタ２７に接触する部材に当接部材が当接して、この間接的な部材を介して、当接部材からシャッタに対して開閉の力を作用させるようにしてもよい。本発明では、この間接的な部材も含めて、「シャッタの一部」と称するものとする。
【００４４】
以上の説明したとおり、本実施の形態の装置によれば、ホームポジション近傍に設けた弾性体を持った当接部材によって、読取器のシャッタの開閉を高速且つ自在に行なうことができる。初期状態からシャッタを開けるには、キャリッジを主走査方向に大きなストロークを移動させる動作が必要ないため、プリンタのトータルスループットが大きく向上し、実用性に富んだ装置を実現できる。
【図面の簡単な説明】
【００４５】
【図１】第１の実施形態におけるプリンタの主要構成を示す図
【図２】キャリッジの構成を示す図
【図３】記録ヘッドのヘッドポジションを示す図
【図４】シャッタを閉じたときの状態を示す図
【図５】プリンタの全体構成を示す図
【図６】第２実施形態におけるプリンタの主要構成を示す図
【図７】キャリッジの構成を示す図
【図８】当接部材の構成を示す図
【符号の説明】
【００４６】
１  キャリッジ
２  記録ヘッド
１０  右側板
１７  読取器
１７ａ  読取窓
２６  当接部材
２７  シャッタ
２７ａ  読取窓
３７  当接部材
４１  弾性体
４２  当接片
【図１】
2010062910.tif 000003
【図２】
2010062910.tif 000004
【図３】
2010062910.tif 000005
【図４】
2010062910.tif 000006
【図５】
2010062910.tif 000007
【図６】
2010062910.tif 000008
【図７】
2010062910.tif 000009
【図８】
2010062910.tif 000010